(57)【要約】      （修正有）【課題】口の狭いペットボトルやタンクなどの容器内部を簡単確実に洗浄する洗浄具を提供する。【解決手段】固形物１を複数個内蔵した三角錐状のメッシュ状の袋２に取り付け部３を設け、あるいはその取り付け部３に回転部４の一端を取り付け、回転部４の他端にひも５を取り付けたことを特徴とする。【選択図】図２
2004276008.tif 000002
【特許請求の範囲】
【請求項１】
固形物（１）を複数個内蔵したメッシュ状の袋（２）を設け、メッシュ状の袋（２）に取り付け部（３）を設けた洗浄具。
【請求項２】
固形物（１）を複数個内蔵したメッシュ状の袋（２）を設け、メッシュ状の袋（２）に取り付け部（３）を設け、取り付け部（３）に回転部（４）の一端を取り付け、回転部（４）の他端にひも（５）を取り付けた請求項１の洗浄具。
【発明の詳細な説明】
【０００１】
【発明の属する記述分野】
本発明は、口の狭いビンやペットボトルやポリタンクなどの筒状容器の内部の洗浄をするときに使用するための洗浄具に関するものである。
【０００２】
【従来の技術】
従来、環境問題の取り組みの一環として、大量に廃棄されるビンやペットボトルの再利用が提案される中、家庭では飲み終った空のビンやペットボトルを洗い再度利用することが多くなった。
そのとき、口の狭いビンやペットボトルなどに水や洗剤を入れ、これを上下左右に振って内部を洗うか、または、昔から砕いた卵の殻と水を入れ振って洗う事が多かった。
そのため、洗浄用具として、たとえば、実開平５−３７３８１、実用登録第３００８９８４号、特開平８−１０８１４８、特開２００１−２５９５５９、特開２００２−４５８１４があり、洗浄片に紐を付けた洗浄具として実開平５−２６１７６、実開平７−３７８２などが提案されていた。
また、近年では、加湿器や冷蔵庫についている自動製氷器に水を入れて使用するタンクの内部がぬるぬるとなり困っていた。
このとき、柄が長いブラシやスポンジブラシを使用して洗っていたが、タンクのすみずみまで汚れを落とすことができなく、塩素系の漂白剤などを使用していた。
【０００３】
【発明が解決しようとする課題】
本発明はつぎのような課題があった。
水や洗剤を入れての振り洗いでは、内部に付着した汚れや色素は取れにくく、また柄が長いブラシやスポンジブラシではビンやペットボトルやポリタンクの低部の隅や肩部の汚れを取ることは難しかった。
１、２個の砕いた卵の殻と水を入れて振る方法は、卓上用の醤油ビンのような小さなガラス製ビンなどを洗うときは大変効果があり、ビンの凹凸がある内壁、底部や肩部の汚れは綺麗に取れるが、洗い終わった後卵の殻が取り出しにくく、卵の殻を常時保管できないという欠点があった。
そしてペットボトルなどの大きさの容器に使用して振り洗いすると、卵の殻があたった部分の汚れだけが筋状にしか落ちず、大量の卵の殻を用意する必要がある。
そのうえガラス製のビンとは硬度が劣る樹脂表面に無数の線状のキズを残してしまい、その傷跡が雑菌の巣となってしまうという欠点もある。
また塩素系の漂白剤を使用するときれいに落ちるが、薬品を完全に洗い流すには大量の水を必要とし、またその汚水による環境への影響が懸念されている。
本発明は、これらの欠点を解決するためになされたものである。
【０００４】
【課題を解決するための手段】
固形物（１）を複数個内蔵した三角錐状のメッシュ状の袋（２）を設け、メッシュ状の袋（２）に取り付け部（３）を設ける。
【０００５】
三角錐状のメッシュ状の袋（２）の取り付け部（３）に回転部（４）の一端を取り付け、回転部（４）の他端にひも（５）を取り付ける。
ひも（５）の反対方の一端にリング（６）を取り付ける。
本発明は、以上の構成よりなる洗浄具である。
【０００６】
【発明の実施の形態】
以下、本発明の実施の形態を図１、３、５にそって説明する。
固形物（１）を複数個内蔵した三角錐状のメッシュ状の袋（２）を設け、メッシュ状の袋（２）の４つの角の頂点に取り付け部（３）を設ける。
【０００７】
固形体（１）はプラスチック製の小さな球体とし、三角錐をしたメッシュ状の袋（２）に入れる量は、洗浄する容器の口からの出し入れが簡単にできる量にする。
また固形体（１）は数種類の形、大きさ、重さのものを入れてもよい。
【０００８】
メッシュ状の袋（２）は固形体（１）が通過できない目の粗さとする。
そしてテトラパック形といわれる三角錐状に形成することにより、内部で固形体（１）が自由に回転しながら移動できる最大限の空間をもたせることができる。
メッシュの素材はペットボトルなどの容器内部の細かな凹凸部に接触できる柔軟性があるものとする。
またメッシュ素材自体に細かい突起があるとなおよい。
【０００９】
取り付け部（３）は１本の水に強い素材のひもあるいはテープを２折りにして輪になるよう４つの角の頂点にはさみこむ。
【０００１０】
本発明は以上のような構造で、加湿器や、冷蔵庫についている自動製氷器に水を入れて使用するタンク（７）や、飲料水を運ぶ為のポリタンクなど容器の口径が大きめの容器に使用するとよい。
使用するときは、図３のようにメッシュ状の袋（２）の１つの頂点に固形体（１）をあつめ、その頂点からタンク（７）の口にさし入れる。
少量の水かぬるま湯を入れてふたを閉め、挿入したメッシュ状の袋（２）を上下左右に回転させたり往復させたりし内部全体まんべんなく接触させて洗う。
洗い終わったらタンク（７）の口から汚れた水と共にメッシュ状の袋（２）を取り出し、タンク（７）の内部とメッシュ状の袋（２）をきれいな水でゆすぐ。
図５のようにメッシュ状の袋（２）の取り付け部（３）の輪の部分をフック（９）などに引っ掛けて乾燥させる。
【０００１１】
その他の実施例の形態を図２、４、６にそって説明する。
固形物（１）を複数個内蔵した三角錐状のメッシュ状の袋（２）を設け、メッシュ状の袋（２）の４つの角の頂点に取り付け部（３）を設ける。
【０００１２】
固形体（１）はプラスチック製の小さな球体とし、三角錐をしたメッシュ状の袋（２）に入れる量は、洗浄する容器の口からの出し入れが簡単にできる量にする。
また固形体（１）は数種類の形、大きさ、重さのものを入れてもよい。
【０００１３】
メッシュ状の袋（２）は固形体（１）が通過できない目の粗さとし、テトラパック形といわれる三角錐状に形成することにより、内部で固形体（１）が自由に回転しながら移動出来る最大限の空間をもたせることができる。
メッシュの素材はペットボトルなどの容器内部の細かな凹凸部に接触できる柔軟性があるものとする。
またメッシュ素材自体に細かい突起があるとなおよい。
【０００１４】
取り付け部（３）は１本の水に強い素材のひもあるいはテープを２折りにして４つの角の頂点にはさみこむ。
【０００１５】
三角錐状のメッシュ状の袋（２）の取り付け部（３）に回転部（４）の一端を取り付け、回転部（４）の他端にひも（５）を取り付ける。
【０００１６】
ひも（５）の反対方の一端にリング（６）を取り付ける。
【０００１７】
ひも（５）は耐水性のあるものとし長さは使用するビンやペットボトルの高さより余裕を持った長さを必要とし、リング（６）の径はビンやペットボトルの口より大きいものとする。
【０００１８】
以上のような構造で、ビンやペットボトルのような口径が小さく深い容器を洗う時に使用するとよい。
これを使用するときは図４のようにペットボトル（８）に少量の水またはぬるま湯を注ぐ。
ペットボトル（８）の口にメッシュ状の袋（２）を挿し込む。一方の手の中指にリング（６）を通すか、あるいはペットボトル（８）の口に止まっているリング（６）の上から口を押さえる。
もう片方の手をペットボトル（８）の底部に当て、挿入したメッシュ状の袋（２）を上下左右に回転させたり往復させたりして内部全体をまんべんなく当たるようにして洗う。
洗い終わったらリング（６）をゆっくり引っ張りメッシュ状の袋（２）を取り出し、ペットボトル（８）の内部の汚れた水またはぬるま湯を捨てる。
ペットボトル（８）内をきれいな水でゆすぎ、メッシュ状の袋（２）を洗って図６の様にリング（６）をフック（９）などに引っ掛けて乾燥させる。
【０００１９】
【発明の効果】
メッシュ状の袋（２）の形状が三角錐なので、洗うときメッシュの面と角で平らな部分も凹凸の部分も接触して内部をまんべんなく筋状ではなく面状にきれいに洗うことができる。
粒体（１）がメッシュ状の袋（２）の中で遠心力と慣性をもって移動するので、余分な力を必要とせずに洗浄することができる。
三角錐状のメッシュ状の袋（２）との間に回転部を設けることにより、ひも（５）がねじれてひも（５）どうしが巻き付いてひも（５）の丈が短くなりペットボトル（８）の中で宙に浮いた状態になるのを防ぐより戻しの作用を起こし、回転および往復運動をスムーズに行うことができる。
またひも（５）をペットボトル（８）から引き抜く時からまなくて良い。
そしてこの洗浄具をこまめに使用することにより、洗剤や漂白剤の使用が減り汚水による環境悪化を減らす事ができる。
また容器を再利用する事で廃棄物の量を減らす事もできる。
【図面の簡単な説明】
【図１】本発明の斜視図である。
【図２】本発明のその他の実施例を示す斜視図である。
【図３】本発明の使用状態を示す斜視図である。
【図４】本発明のその他の実施例の使用状態を示す斜視図である。
【図５】本発明の使用状態を示す斜視図である。
【図６】本発明のその他の実施例の使用状態を示す斜視図である。
【符号の説明】
１．  固形物
２．  メッシュ状の袋
３．  取り付け部
４．  回転部
５．  ひも
６．  リング
７．  タンク
８．  ペットボトル
９．  フック
【図１】
2004276008.tif 000003
【図２】
2004276008.tif 000004
【図３】
2004276008.tif 000005
【図４】
2004276008.tif 000006
【図５】
2004276008.tif 000007
【図６】
2004276008.tif 000008